(57)【要約】【課題】表示機能を有するデータ記録装置において、少ない演算負荷で時間軸の単位時間または表示範囲の異なるグラフ画像の切り替え表示が可能なデータ記録装置を提供すること。【解決手段】表示機能を有するデータ記録装置１は、第１の時間間隔Ｔ１で時系列に取得したデータ群が記憶された第１の不揮発記憶部１１０と、取得したデータ群に基づき、第１の時間間隔Ｔ１より長い時間間隔Ｔ２で時系列に並んだ第２のデータ群を生成し、第２の不揮発性記憶部に記憶させる手段１００と、最新の取得データを順次反映させて、取得データの経時変化を示すグラフ表示をおこなうグラフ表示制御手段１００と、を含み、前記グラフ表示制御手段１００は、前記取得したデータ群に基づき第１の時間軸又は第１の表示範囲で第１のグラフ表示を行い、前記第２のデータ群に基づき第１の時間軸とは単位時間の異なる第２の時間軸又は第１の表示範囲とは最大表示期間の異なる第２の表示範囲で第２のグラフ表示を行うことを特徴とする。【選択図】図５
2009069010.tif 000002
【特許請求の範囲】
【請求項１】
時系列に取得したデータを順次記録し、取得したデータの経時変化を示すグラフを表示部に出力するデータ記録装置であって、
第１の時間間隔Ｔ１で時系列に取得したデータ群が記憶された第１の不揮発記憶部と、
取得したデータ群に基づき、第１の時間間隔Ｔ１より長い時間間隔Ｔ２で時系列に並んだ第２のデータ群を生成し、第２の不揮発性記憶部に記憶させる手段と、
最新の取得データを順次反映させて、取得データの経時変化を示すグラフ表示をおこなうグラフ表示制御手段と、を含み、
前記グラフ表示制御手段は、
前記取得したデータ群に基づき第１の時間軸又は第１の表示範囲で第１のグラフ表示を行い、
前記第２のデータ群に基づき第１の時間軸とは単位時間の異なる第２の時間軸又は第１の表示範囲とは最大表示期間の異なる第２の表示範囲で第２のグラフ表示を行うことを特徴とするデータ記録装置。
【請求項２】
時系列に取得したデータを順次記録し、取得したデータの経時変化を示すグラフを表示部に出力するデータ記録装置であって、
取得したデータ群に基づき第１の時間間隔Ｔ１で時系列に並んだ第１のデータ群を生成し、第１の不揮発記憶部に記憶させる手段と、
取得したデータ群又は第１のデータ群に基づき、第１の時間間隔Ｔ１より長い時間間隔Ｔ２で時系列に並んだ第２のデータ群を生成し、第２の不揮発性記憶部に記憶させる手段と、
最新の取得データを順次反映させて、取得データの経時変化を示すグラフ表示をおこなうグラフ表示制御手段と、を含み、
前記グラフ表示制御手段は、
第１のデータ群に基づき第１の時間軸又は第１の表示範囲で第１のグラフ表示を行い、
第２のデータ群に基づき第１の時間軸とは単位時間の異なる第２の時間軸又は第１の表示範囲とは最大表示期間の異なる第２の表示範囲で第２のグラフ表示を行うことを特徴とするデータ記録装置。
【請求項３】
請求項１又は２のいずれかにおいて、
前記グラフ表示制御手段は、
所定期間毎に前記グラフ画像を時間軸の過去方向に所定期間分シフトさせ、所定期間内は時間軸のシフトを行わずに現在の表示されているグラフ部分に連続させて最新取得データに対応したグラフ部分を追加表示することを特徴とするデータ記録装置。
【請求項４】
請求項３において、
前記所定期間は、データ取得間隔よりも長い期間であることを特徴とするデータ記録装置。
【請求項５】
請求項１乃至４のいずれかにおいて、
前記グラフ表示制御手段は、
第１の表示モードと第２の表示モードを所定の条件下で切り替える手段を含み、
第１の表示モード時には第１のグラフを表示部に表示し、
第２の表示モード時には第２のグラフを表示部に表示することを特徴とするデータ記録装置。
【請求項６】
請求項１乃至５のいずれかにおいて、
前記第１の不揮発性記憶部と前記第２の不揮発性記憶部は、強誘電体メモリで構成されていることを特徴とするデータ記録装置。
【発明の詳細な説明】
【技術分野】
【０００１】
本発明は、データ記録装置に関する。
【背景技術】
【０００２】
計測データを取得して記録し、計測データの経時変化を示すグラフを表示する表示機能を有するデータ記録装（データログ装置）が知られている。
【０００３】
このようなデータ記録装置において、通常は過去２４時間の計測データの経時変化を示すグラフを表示し、直近の計測データを詳細に確認したい場合に、表示範囲を１２０分として、その分詳細なデータ変動を表示させたいというニーズ、すなわち異なる表示範囲で詳細度の異なるデータを確認したいというニーズが存在する。
【発明の開示】
【発明が解決しようとする課題】
【０００４】
表示機能を有するデータ記録装置では、表示制御もデータ記録装置に内蔵されたマイコンで実行させなければなければならない。ところが一般にデータ記録装置内蔵のマイコンは小型低消費電力タイプのものが多く、そのような場合マイコンにとって、表示範囲の異なるグラフ画像の切り替え表示に係る演算負荷は多大なものである。
【０００５】
本発明は、以上のような技術的課題に鑑みてなされたものであり、その目的とするところは、表示機能を有するデータ記録装置において、少ない演算負荷で時間軸の単位時間または表示範囲の異なるグラフ画像の切り替え表示が可能なデータ記録装置を提供することにある。
【課題を解決するための手段】
【０００６】
（１）本発明は、
時系列に取得したデータを順次記録し、取得したデータの経時変化を示すグラフを表示部に出力するデータ記録装置であって、
第１の時間間隔Ｔ１で時系列に取得したデータ群が記憶された第１の不揮発記憶部と、
取得したデータ群に基づき、第１の時間間隔Ｔ１より長い時間間隔Ｔ２で時系列に並んだ第２のデータ群を生成し、第２の不揮発性記憶部に記憶させる手段と、
最新の取得データを順次反映させて、取得データの経時変化を示すグラフ表示をおこなうグラフ表示制御手段と、を含み、
前記グラフ表示制御手段は、
前記取得したデータ群に基づき第１の時間軸又は第１の表示範囲で第１のグラフ表示を行い、
前記第２のデータ群に基づき第１の時間軸とは単位時間の異なる第２の時間軸又は第１の表示範囲とは最大表示期間の異なる第２の表示範囲で第２のグラフ表示を行うことを特徴とする。
【０００７】
第１のグラフ表示は、第１の時間間隔Ｔ１で時系列に取得したデータを、第１の時間間隔Ｔ１を単位時間とする時間軸を用いたグラフ画像である。また第２のグラフ表示は、取得データに基づいて生成された第１の時間間隔Ｔ１より長い時間間隔Ｔ２で時系列に並んだ第２のデータ群を、第２の時間間隔Ｔ２を単位時間とする時間軸を用いたグラフ画像である。
【０００８】
本発明によれば、測定値及び代表値を保持する表示機能を有するデータ記録装置において、少ない演算負荷で時間軸の単位時間または表示範囲の異なるグラフ画像の切り替え表示が可能なデータ記録装置を提供することにある。
【０００９】
（２）本発明は、
時系列に取得したデータを順次記録し、取得したデータの経時変化を示すグラフを表示部に出力するデータ記録装置であって、
取得したデータ群に基づき第１の時間間隔Ｔ１で時系列に並んだ第１のデータ群を生成し、第１の不揮発記憶部に記憶させる手段と、
取得したデータ群又は第１のデータ群に基づき、第１の時間間隔Ｔ１より長い時間間隔Ｔ２で時系列に並んだ第２のデータ群を生成し、第２の不揮発性記憶部に記憶させる手段と、
最新の取得データを順次反映させて、取得データの経時変化を示すグラフ表示をおこなうグラフ表示制御手段と、を含み、
前記グラフ表示制御手段は、
第１のデータ群に基づき第１の時間軸又は第１の表示範囲で第１のグラフ表示を行い、
第２のデータ群に基づき第１の時間軸とは単位時間の異なる第２の時間軸又は第１の表示範囲とは最大表示期間の異なる第２の表示範囲で第２のグラフ表示を行うことを特徴とする。
【００１０】
第１のグラフ表示は、第１の時間間隔Ｔ１で時系列に並んだデータを、第１の時間間隔Ｔ１を単位時間とする時間軸を用いたグラフ画像である。また第２のグラフ表示は、取得データ群又は第１のデータ群に基づいて生成された第１の時間間隔Ｔ１より長い時間間隔Ｔ２で時系列に並んだ第２のデータ群を、第２の時間間隔Ｔ２を単位時間とする時間軸を用いたグラフ画像である。
【００１１】
本発明によれば、測定値データの代わりに測定に基づき生成した代表値データを保持する表示機能を有するデータ記録装置においても、少ない演算負荷で時間軸の単位時間または表示範囲の異なるグラフ画像の切り替え表示が可能なデータ記録装置を提供することにある。
【００１２】
（３）本発明のデータ記録装置は、
前記グラフ表示制御手段は、
所定期間毎に前記グラフ画像を時間軸の過去方向に所定期間分シフトさせ、所定期間内は時間軸のシフトを行わずに現在の表示されているグラフ部分に連続させて最新取得データに対応したグラフ部分を追加表示することを特徴とする。
【００１３】
（４）本発明のデータ記録装置は、
前記所定期間は、データ取得間隔よりも長い期間であることを特徴とする。
【００１４】
（５）本発明のデータ記録装置は、
前記グラフ表示制御手段は、
第１の表示モードと第２の表示モードを所定の条件下で切り替える手段を含み、
第１の表示モード時には第１のグラフを表示部に表示し、
第２の表示モード時には第２のグラフを表示部に表示することを特徴とする。
【００１５】
（６）本発明のデータ記録装置は、
前記第１の不揮発性記憶部と前記第２の不揮発性記憶部は、強誘電体メモリで構成されていることを特徴とする。
【００１６】
強誘電体メモリとは例えばＦｅＲＡＭ等である。
【００１７】
強誘電体メモリは、フラッシュメモリやＥＥＰＲＯＭと比べて書き換え可能な回数が格段に多く、かつ、書き換えに要する時間が短い。
【００１８】
従って、不揮発性の記憶部を強誘電体メモリで構成すると、一時保管の必要がなくなった情報は次々に上書きできるので、書換え回数は増えるものの、比較的小さなメモリーエリアで実現することができる。
【発明を実施するための最良の形態】
【００１９】
以下、本発明を適用した実施の形態について図面を参照して説明する。ただし、本発明は以下の実施の形態に限定されるものではない。また、本発明は、以下の内容を自由に組み合わせたものを含むものとする。
【００２０】
１．本実施の形態の構成
図１は、本実施の形態のデータ記録装置システムの構成について説明するための図である。
【００２１】
本実施の形態に係るデータ記録装置１は、ＦｅＲＡＭ１１０を含む。ＦｅＲＡＭ１１０は第１の不揮発性記憶部第２及び不揮発性記憶部として機能する。
【００２２】
本実施の形態に係るデータ記録装置１は、ＲＡＭ１４０を含む。ＲＡＭ１４０は、例えば、計測パラメータを保存したり、ＣＰＵのワーク領域として使用されたりする。ＲＡＭ１４０は、ＥＥＰＲＯＭやＦｅＲＡＭで構成してもよい。
【００２３】
本実施の形態に係るデータ記録装置１は、所定の物理量等の計測や、データ量や通信量等の計測を行う計測機器１６０からの計測データを受け取るＩ／Ｏインターフェース１５０を含む。
【００２４】
本実施の形態に係るデータ記録装置１は、ＲＯＭ１３０を含む。ＲＯＭ１３０には、計測機器との信号の授受や計測機器に送信する制御信号やコマンドの生成処理や取得した計測データの処理や表示制御等を行うプログラムが格納される。
【００２５】
本実施の形態に係るデータ記録装置１は、ＣＰＵ１００を含む。ＣＰＵ１００は、ＲＯＭ１３０に格納された制御プログラムに従い、操作部１８０により入力される計測パラメータに基づく計測機器に送信する制御信号やコマンドの生成処理、取得した計測データをＦｅＲＡＭに格納する処理等を行う。また、ＣＰＵ１００はタイマー１７０やディスプレー１９０の表示制御を行う。
【００２６】
ＣＰＵ１００は、取得したデータ群に基づき、第１の時間間隔Ｔ１より長い時間間隔Ｔ２で時系列に並んだ第２のデータ群を生成し、第２の不揮発性記憶部に記憶させる手段と、最新の取得データを順次反映させて、取得データの経時変化を示すグラフ表示をおこなうグラフ表示制御手段として機能し、取得したデータ群に基づき第１の時間軸又は第１の表示範囲で第１のグラフ表示を行い、前記第２のデータ群に基づき第１の時間軸とは単位時間の異なる第２の時間軸又は第１の表示範囲とは最大表示期間の異なる第２の表示範囲で第２のグラフ表示を行うようにしてもよい。
【００２７】
またＣＰＵ１００は、取得したデータ群に基づき第１の時間間隔Ｔ１で時系列に並んだ第１のデータ群を生成し、第１の不揮発記憶部に記憶させる手段と、取得したデータ群又は第１のデータ群に基づき、第１の時間間隔Ｔ１より長い時間間隔Ｔ２で時系列に並んだ第２のデータ群を生成し、第２の不揮発性記憶部に記憶させる手段と、最新の取得データを順次反映させて、取得データの経時変化を示すグラフ表示をおこなうグラフ表示制御手段として機能し、第１のデータ群に基づき第１の時間軸又は第１の表示範囲で第１のグラフ表示を行い、  第２のデータ群に基づき第１の時間軸とは単位時間の異なる第２の時間軸又は第１の表示範囲とは最大表示期間の異なる第２の表示範囲で第２のグラフ表示を行うようにしてもよい。
【００２８】
データ記録装置１では、ＣＰＵ１００、ＦｅＲＡＭ１１０、ＲＯＭ１３０、ＲＡＭ１４０及びＩ／Ｆ１５０は、１つの集積回路装置（例えば半導体チップ）として構成されていてもよい。そして、データ記録装置１は、当該集積回路装置で、計測機器を制御し、ディスプレーに画像を表示させるための表示画像データを生成する制御を行ってもよい。
【００２９】
図２は、本実施の形態のデータ記録装置が取得する計測データについて説明する図である。例えば計測機器が温度を計測する温度センサであり、データ記録装置は計測機器から１分毎に温度データを取得する場合を例にとり説明する。
【００３０】
１分毎に温度データを取得したデータ記録装置は、取得した温度データを毎回又は一定個数が貯まったタイミングで、ＦｅＲＡＭ１１０の第１の不揮発性記憶部に書き込む。第１の不揮発性記憶部は、例えばリングバッファとして構成してもよい。ＦｅＲＡＭ１１０の第１の不揮発性記憶部には、図２に示すように、取得したデータが時系列にデータエリアの先頭から末尾にむかって順次書き込まれるようにしてもよい。そして末尾に達したら再び先頭に戻って順時に上書きされることになる。ここでデータエリアの先頭位置は論理アドレスにもとづいて適宜設定することができ、物理的な先頭位置に限られない。
【００３１】
２１０はyymm01,00:00に取得されたデータである。２１２は取得年月日時分を示しており、２１４はデータ値（温度値）である。取得年月日時分は毎回取得データに添付する必要はなく所定間隔毎に添付するようにしてもよい（ここでは１時間毎に添付しているが、１日毎に添付してもよい。
【００３２】
２２０はyymm01,00:00から１時間分のデータ（１分置きに取得されるので６０個ある）であり、２２２はyymm01,01:00から１時間分のデータ（１分置きに取得されるので６０個ある）であり、２２４はyymm01,00:03から１時間分のデータ（１分置きに取得されるので６０個ある）である。また２３０はyymm01,00:00から１日（２４時間分）のデータ（１分置きに取得されるので１４４０個ある）である。同様に２３２はyymm02,00:00から１日（２４時間分）のデータ（１分置きに取得されるので１４４０個ある）であり、２３４はyymm03,00:00から１日（２４時間分）のデータ（１分置きに取得されるので１４４０個ある）である。
【００３３】
データを書き込むタイミングは取得する毎に（１分毎に１回）でもよいし、１時間毎に１時間分のデータをまとめて書き込んでも良いし、１日毎に１日分のデータをまとめて書き込んでも良い。
【００３４】
図３（Ａ）（Ｂ）は、第２の不揮発性記憶部、第３の不揮発性記憶部に書き込むデータについて説明するための図である。
【００３５】
本実施の形態では、１分毎（第１の時間間隔Ｔ１毎）に取得したデータ群に基づき１時間（第２の時間間隔Ｔ２毎）で時系列に並んだ第２のデータ群を生成し、第２の不揮発記憶部に記憶させる。図３（Ａ）は、第２のデータ群の一例を示した図である。２４０は、図２の２２０（yymm01,00:00から１時間分のデータ６０個）の代表値であり、２４２は図２の２２２（yymm01,01:00から１時間分のデータ６０個）の代表値である。ここでは、１時間毎の開始点のデータ値を代表値としているが、それに限られない。例えば代表値は第２の時間間隔である所定期間（ここでは１時間）の平均値でもよいし、その期間内の所定の点（例えば中間点）の取得データ値でもよいし、その期間内の最高値や最低値でもよい。また代表値をどのように設定するかは、目的や用途に応じて適宜設定できるようにしてもよい。例えば操作部１８０からの入力によって代表値算出パラメータを変更可能に構成し、代表値算出パラメータによって代表値の求め方を設定変更できるようにしても良い。
【００３６】
図３（Ｂ）は、第３のデータ群の一例を示した図である。本実施の形態では、１分毎（第１の時間間隔Ｔ１毎）に取得したデータ群に基づき２４時間（第３の時間間隔Ｔ３毎）で時系列に並んだ第３のデータ群を生成し、第３の不揮発記憶部に記憶させる。２５０は、図２の２３０（yymm01,00:00から１日分のデータ１４４０個）の代表値であり、２５２は図２の２３２（yymm02,00:00から１日分のデータ１４４０個）の代表値である。ここでは、１４４０個のデータの平均値を代表値としているが、それに限られない。
【００３７】
ここで代表値は取得したデータに基づき求めているが、第２の不揮発性記憶部に記憶される代表値に基づき求めるようにしてもよい。
【００３８】
図４（Ａ）（Ｂ）は、本実施の形態の画像表示について説明するための図である。本実施の形態では、最新の取得データを順次、リアルタイムに反映させて取得データの経時変化を示すグラフ表示をディスプレイ（表示部）に出力する。
【００３９】
取得データの経時変化を示すグラフ表示とは、時間軸に対する取得データの遷移を示す点グラフ、線グラフ、棒グラフ等のグラフ表示でもよい。
【００４０】
図４（Ａ）は、第１の表示モードの第１のグラフ画像３２０の表示画面２１０の例を示している。第１の表示モードでは時間軸（第１の時間軸）は１分を単位時間とする分単位であり、表示範囲は１２０分である。
【００４１】
第１のグラフ画像は、取得したデータ群に基づき生成される。第１のグラフ画像の表示は、過去の取得データについて行うことも可能であり、最新データの取得と並行してリアルタイムに行うことも可能である。最新部分を表示する場合には、最新の取得データがくると現在の表示されているグラフ部分の直近の測定点３１４に連続させて最新取得データに対応したグラフ部分を追加表示する。すなわち、グラフ画像が右方向にむかって追加されていくような表示制御が行われる。
【００４２】
図４（Ｂ）は、第２の表示モードの第２のグラフ画像３４０の表示画面２３０の例を示している。第２の表示モードでは時間軸は１時間を単位時間とする時間単位であり、表示範囲は２４時間である。
【００４３】
第２のグラフ画像は、第２のデータ群に基づき生成される。第２のグラフ画像の表示は、過去の取得データについて行うことも可能であり、最新データの取得と並行してリアルタイムに行うことも可能である。最新部分を表示する場合には、最新の取得データがくると現在の表示されているグラフ部分の直近の測定点３３４に連続させて最新取得データに対応したグラフ部分を追加表示する。すなわち、グラフ画像が右方向にむかって追加されていくような表示制御が行われる。
【００４４】
本実施の形態では、第１の表示モードと第２の表示モードを所定の条件下で切り替える手段を含み、第１の表示モード時には第１のグラフ画像を表示部に表示し、第２の表示モード時には第２のグラフ画像を表示部に表示する。第１の表示モードと第２の表示モードの切り替えは、例えば操作部からの入力に基づきおこなうようにしてもよい。例えばデフォルト時は過去２４時間のデータ遷移グラフ（第２のグラフ画像）を表示し、直近のデータを詳細に確認したい場合に、直近の１２０分間のデータ遷移グラフ（第１のグラフ画像）を表示するようにしてもよい。
【００４５】
このように本実施の形態では、異なる単位時間を有する時間軸または最大表示期間の異なる表示範囲を有する複数の表示モードを切り替えて表示するように構成されている。従って各表示モードに対応した表示データの算出が必要になる。例えば第１の表示モードでは分単位の表示データ（第１の表示データとする）を用いるが、第２のモードでは時間単位の表示データ（第２の表示データとする）を用いる。
【００４６】
このとき表示モード切り替え毎に第２の表示データの演算処理を行う手法も考えられるが、この手法ではデータ計測装置の演算負荷が高くなる。本実施の形態では、第２の表示データに対応する第２のデータ群を１回計算したら、それらを第２の不揮発性記憶部に記憶させておき、以降は第２の不揮発性記憶部に記憶された第２のデータ群読み出して第２の表示データとして用いる。従って表示モード切替による第２の表示データの再計算の負荷を軽減することができるので、小型低消費電力タイプのマイコン内蔵のデータ記録装置でも表示範囲の異なるグラフ画像の切り替え表示が可能なデータ記録装置を提供することができる。
【００４７】
図５は、本実施の形態のグラフ画像の更新制御について説明するための図である。
【００４８】
本実施の形態では、所定期間毎に前記グラフ画像を時間軸の過去方向に所定期間分シフトさせ、所定期間内は時間軸のシフトを行わずに現在の表示されているグラフ部分に連続させて最新取得データに対応したグラフ部分を追加表示する。更新データ表示区間（時間軸のシフトを行わない期間である所定期間と同じ長さの区間である）は、データ取得間隔（ここでは１分）よりも長い期間に設定されている。
【００４９】
所定期間内は３１０−１〜３１０−２に示すように更新データ表示区間３１２以外の部分（３１３）の画像は固定させて（時間軸のシフトを行わず）に、最新の取得データがくると現在の表示されているグラフ部分の直近の測定点３１４−１に連続させて最新取得データに対応したグラフ部分３１４−２を追加表示する（更新データ表示区間３１２のみ画像の更新を行う）。
【００５０】
そして３１０−３に示すように追加グラフ部分３１４−３がグラフの右端までいったら（所定期間経過したら）、更新データ表示区間分（ここでは２０分）だけグラフ画像を左に並行移動（３２０−１→３２０−２）して表示する。並行移動によりグラフ画像３２０−１の表示範囲の一番過去のデータ３３０が更新データ表示区間分（２０分）だけ削除されることになる。
【００５１】
このように制御すると所定期間（ここでは更新データ表示区間３１２と同じ２０分）は、更新データ表示区間３１２以外の部分（３１３）の画像は固定しているので、最新データを反映させる際にも、前回の表示画像をそのまま使用することができる。従って更新データ表示区間３１２以外の部分（３１３）は、表示データを２次元画像上に配置にしてグラフ画像を生成する処理を省略できるので、小型低消費電力タイプのマイコン内蔵のデータ記録装置でも表示範囲の異なるグラフ画像の切り替え表示が可能なデータ記録装置を提供することができる。
【００５２】
図６は、本実施の形態のデータ蓄積処理について説明するための図である。
【００５３】
ここでは、計測機器から１分毎に計測データを受け取り、計測結果のグラフ画像を２種類の表示モードが表示する場合を例にとり説明する。
【００５４】
まず取得データ一次記憶領域をクリアして、カウンタ又はタイマーを初期化する（ステップＳ１０）。取得データ一次記憶領域は、計測機器１６０から１分間隔で受け取る計測データを一時的に格納する記憶エリアで例えばＲＡＭ１４０に設けるようにしてもよい。カウンタは計測機器１６０から１分間隔で受け取る計測データの個数をカウントするために使用する。タイマは１時間をカウントするために使用される。
【００５５】
計測機器１６０から計測データを取得したら（ステップＳ２０）、取得したデータを取得データ一次記憶領域に格納し、カウンタをカウントアップする（ステップＳ３０）。
【００５６】
次にカウンタの値が６０に達するか、またはタイマが１時間に達したら（ステップＳ４０）、取得データ一次記憶領域に格納された取得データを用いて、１時間分のデータの代表値を求め、第２の不揮発性記憶部に記憶させる（ステップＳ５０）。カウンタの値が６０に達しておらず、タイマが１時間に達していない場合にはステップＳ２０にもどって処理を繰り返す。ここでカウンタの値とタイマの値を両方みるのは、何らかのアクシデントで１分毎のデータ取得ができなかった場合でも、１時間毎に代表値を計算するためである。
【００５７】
図７は、本実施の形態のグラフ表示制御処理について説明するための図である。
【００５８】
ここでは、計測機器から１分毎に計測データを受け取り、計測結果のグラフ画像を２種類の表示モードが表示する場合を例にとり説明する。
【００５９】
まずモード切り替え入力ありか否かを検出し（ステップＳ１１０）、モード切り替えなしの場合には過去のモード切り替え時にステップＳ１２０〜Ｓ１５０の処理は行われているので、ステップＳ１６０にいく。
【００６０】
モード切り替えあり場合には、第１の表示モードへの切り替えである場合には（ステップＳ１２０）、過去１００分の取得データ群を第１の不揮発性記憶部または取得データ一次記憶領域から読み出して、過去１００分の取得データを分単位の第１の座標軸をもつ２次元空間に配置して第１のグラフ画像を生成して表示する。次のグラフ画像シフトまでの時間（２０分）タイマにセットする（ステップＳ１３０）。ここで第１のグラフ画像の更新データ表示区間以外の所定期間（２０分）の間固定表示される部分の画像が生成表示される。
【００６１】
また第２の表示モードへの切り替えである場合には（ステップＳ１４０）、過去２２時間分の第２のデータ群を第２の不揮発性記憶部から読み出して、過去２２時間分の第２のデータを時間単位の第２の座標軸をもつ２次元空間に配置して第２のグラフ画像を生成して表示する。次のグラフ画像シフトまでの時間（２時間）をタイマにセットする（ステップＳ１５０）。ここで第２のグラフ画像の更新データ表示区間以外の所定期間（２時間）の間固定表示される部分の画像が生成表示される。
【００６２】
次に、第１の表示モードで最新計測データを取得した場合には（ステップＳ１６０）、現在の表示されているグラフ部分の直近の測定点に連続させて最新取得データに対応したグラフ部分を追加表示する（ステップＳ１７０）。
【００６３】
また第２の表示モードで新たな代表値データを取得した場合には（ステップＳ１８０）、現在の表示されているグラフ部分の直近の代表点に連続させて新たな代表値データに対応したグラフ部分を追加表示する。（ステップＳ１９０）。
【００６４】
次にタイマの値が更新データ表示区間の時間に達したか否か判断し（ステップＳ２００）、更新データ表示区間分だけグラフ画像を左に並行移動して表示する。（ステップＳ２１０）。
【００６５】
なおデータ保管上正則データそのものは所定期間（例えば１２０分）しか保持しないようにしてもよい。そのかわり代表値を長期間分保持するようにしてもよい。代表値であればデータ量を大幅に削減できるので、長期間の保存が可能になる。その結果第１のグラフ表示では所定期間以上前に遡ることはできないが、第２のグラフ表示や第３のグラフ表示で過去に遡ってデータ表示するようにしてもよい。
【００６６】
なお、本発明は、上述の実施の形態に限定されるものではなく、種々の変形が可能である。本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００６７】
上記実施の形態では２種類の表示モードを切り替えて表示する場合を例に取り説明したがこれに限られない。例えば３種対以上の表示モードを切り替えて表示する構成でもよい。
【００６８】
また上記実施の形態では２種類の表示モードを切り替えて表示する場合を例に取り説明したがこれに限られない。例えば２種対以上の表示モードを同一画面内に表示する構成でもよい。
【００６９】
また上記実施の形態ではグラフ画像として線グラフを表示する場合を例に取り説明したがこれに限られない。例えば棒グラフでも良いし、測定点が表示されたグラフを表示する構成でもよい。
【００７０】
上記実施の形態では取得したデータ群に基づき、第１の不揮発性記憶部や第２の不揮発性記憶部に記憶させる手段をＣＰＵでソフトウエア的に実現する場合を例にとり説明したが、例えばこれらの機能を専用の回路でハードウエア的に実現する構成でもよい。
【図面の簡単な説明】
【００７１】
【図１】本実施の形態のデータ記録装置システムの構成について説明するための図。
【図２】本実施の形態のデータ記録装置が取得する計測データについて説明するための図。
【図３】図３（Ａ）（Ｂ）は、第２の不揮発性記憶部、第３の不揮発性記憶部に書き込むデータについて説明するための図。
【図４】図４（Ａ）（Ｂ）は、本実施の形態の画像表示について説明するための図。
【図５】本実施の形態のグラフ画像の更新制御について説明するための図。
【図６】本実施の形態のデータ蓄積処理について説明するための図。
【図７】本実施の形態のグラフ表示制御処理について説明するための図である。
【符号の説明】
【００７２】
１  データ記録システム、１００  計測装置、１１０  処理部、１００  ＣＰＵ、１１０  ＦｅＲＡＭ、１２０  フラッシュＥＥＰＲＯＭ、１３０  ＲＯＭ、１４０  ＲＡＭ
【図１】
2009069010.tif 000003
【図２】
2009069010.tif 000004
【図３】
2009069010.tif 000005
【図４】
2009069010.tif 000006
【図５】
2009069010.tif 000007
【図６】
2009069010.tif 000008
【図７】
2009069010.tif 000009